(57)【要約】【課題】地震時揺れが起こってもかごに捻れを生じさせずに案内するガイドレールを支持するエレベータ耐震レール支持装置を得る。【解決手段】エレベータ耐震レール支持装置は、エレベータの昇降するかごを案内するガイドレールのレールブラケットをダンパー支持するエレベータ耐震レール支持装置において、上記かごを三方から囲む略コの字形状であるとともに上記ガイドレールが取付けられる一体枠と、昇降路の壁に取付けられる支持部材と、上記一体枠を上記支持部材に対して支持するリンク装置およびバネ付き油圧ダンパーと、を備える。【選択図】図１
2011195252.tif 000002
【特許請求の範囲】
【請求項１】
エレベータの昇降するかごを案内するガイドレールのレールブラケットをダンパー支持するエレベータ耐震レール支持装置において、
上記かごを三方から囲む略コの字形状であるとともに上記ガイドレールが取付けられる一体枠と、
昇降路の壁に取付けられる支持部材と、
上記一体枠を上記支持部材に対して支持するリンク装置およびバネ付き油圧ダンパーと、
を備えることを特徴とするエレベータ耐震レール支持装置。
【請求項２】
エレベータの昇降する釣合いおもりを案内するガイドレールのレールブラケットをダンパー支持するエレベータ耐震レール支持装置において、
上記釣合いおもりを囲むロの字形状であるととともに上記ガイドレールが取付けられる一体枠と、
昇降路の壁に取付けられる支持部材と、
上記一体枠を上記支持部材に対して支持するバネ付き油圧ダンパーと、
を備えることを特徴とするエレベータ耐震レール支持装置。
【発明の詳細な説明】
【技術分野】
【０００１】
この発明は、昇降するエレベータかごまたは釣合いおもりを案内するガイドレールを地震時の揺れに対して支持するエレベータ耐震レール支持装置に関するものである。
【背景技術】
【０００２】
ガイドレールを滑り支持装置を介して建物の躯体に取り付け、建物の躯体が横方向に変位しても、滑り支持装置によりガイドレールがその変位に追随しないように動作し、エレベータかごがガイドレールに沿って移動できるようにした（例えば、特許文献１参照）。
【先行技術文献】
【特許文献】
【０００３】
【特許文献１】特開平９−２７８３１４号公報
【発明の概要】
【発明が解決しようとする課題】
【０００４】
しかし、かごの左右に配置された２本のガイドレールを別々にダンパーで支持すると、地震時の揺れに連れて２本のガイドレールが例えばかごの前側に移動また後ろ側に移動と同じ方向に揺れれば良いが、一方が前側へ、他方が反対側に移動するとかごに大きな捻じり力が作用し、場合によってはかごを破壊させることになる。
また、左右のガイドレールが昇降路の壁方向に離れるように揺れると、かごのガイド装置からガイドレールの咥シロから外れることもある。
【０００５】
この発明は、前記のような課題を解決するためになされたものであり、地震時揺れが起こってもかごに捻れを生じさせずに案内するガイドレールを支持するエレベータ耐震レール支持装置を得ることを目的とする。
【課題を解決するための手段】
【０００６】
この発明に係るエレベータ耐震レール支持装置は、エレベータの昇降するかごを案内するガイドレールのレールブラケットをダンパー支持するエレベータ耐震レール支持装置において、上記かごを三方から囲む略コの字形状であるとともに上記ガイドレールが取付けられる一体枠と、昇降路の壁に取付けられる支持部材と、上記一体枠を上記支持部材に対して支持するリンク装置およびバネ付き油圧ダンパーと、を備える。
【発明の効果】
【０００７】
この発明に係るエレベータ耐震レール支持装置は、かごを三方から囲む略コの字形状の一体枠にかごを案内するガイドレールを取付け、一体枠を昇降路の内壁に取り付けた支持部材に対してリンク機構とバネ付き油圧ダンパーで柔軟に支持しており、ガイドレールが一体枠と一体として揺れ、同じ方向に移動するので、ガイドレールがかごをねじることがないという効果を奏する。
【図面の簡単な説明】
【０００８】
【図１】この発明の実施の形態１に係るエレベータ耐震レール支持装置が配置された昇降路の平面図である。
【図２】この発明の実施の形態１に係るエレベータ耐震レール支持装置が配置された昇降路の側面図である。
【図３】エレベータ耐震レール支持装置の要部拡大図である。
【図４】図３に図示するエレベータ耐震レール支持装置の斜視図である。
【図５】バネ付き油圧ダンパーの斜視図である。
【図６】この発明の実施の形態２に係るエレベータ耐震レール支持装置が配置された昇降路の平面図である。
【図７】この発明の実施の形態２に係るエレベータ耐震レール支持装置が配置された昇降路の側面図である。
【図８】図６に図示するエレベータ耐震レール支持装置の斜視図である。
【発明を実施するための形態】
【０００９】
以下、本発明のエレベータ耐震レール支持装置の好適な実施の形態につき図面を用いて説明する。
実施の形態１．
図１は、この発明の実施の形態１に係るエレベータ耐震レール支持装置が配置された昇降路の平面図である。図２は、この発明の実施の形態１に係るエレベータ耐震レール支持装置が配置された昇降路の側面図である。図３は、エレベータ耐震レール支持装置の要部拡大図である。図４は、図３に図示するエレベータ耐震レール支持装置の斜視図である。図５は、バネ付き油圧ダンパーの斜視図である。
【００１０】
この発明の実施の形態１に係るエレベータ耐震レール支持装置は、エレベータの昇降路内を昇降するかご１を案内するガイドレール５を地震時の揺れに対してかご１に捻れを生じさせずに支持する。そして、かご１を三方から囲む略コの字形状の一体枠３にガイドレール５が取付けられる。
そして、この発明の実施の形態１に係るエレベータ耐震レール支持装置は、昇降路の内壁２に取付けられる支持部材９、１０、１１、１２と、支持部材９、１０、１１、１２とかご１との間に配置される一体枠３と、支持部材９、１０、１１、１２と一体枠３とを繋ぐリンク機構８およびバネ付き油圧ダンパー７と、を備える。
【００１１】
一体枠３は、略コの字形状で３つの枠３ａ、３ｂ、３ｃからなる。そして、枠３ａと枠３ｃにガイドレール５がレールクリップ５ａにより固定されている。また、一体枠３は隅が補強板３ｄにより補強されている。
リンク機構８は、リンク８ａとリンク８ｂがリンクピン８ｃにより回転自在に支持され、リンク機構８は、支持部材９、１０、１１、１２に対してピン８ｄにより回転自在に支持され、一体枠３または補強板３ｄに対してピン８ｅにより回転自在に支持されている。
そして、リンク機構８により一体枠３が支持部材９、１０、１１、１２に対して昇降路の横断面内で移動可能に支持されている。
【００１２】
バネ付き油圧ダンパー７は、ピン７ａにより支持部材９、１０、１１、１２および一体枠３に回転自在に支持され、バネと油圧ダンパーとにより一体枠３と支持部材９、１０、１１、１２との間に作用する力を緩和して一体枠３の移動を小さくする。
【００１３】
この発明の実施の形態１に係るエレベータ耐震レール支持装置は、かご１を三方から囲む略コの字形状の一体枠３にかご１を案内するガイドレール５を取付け、一体枠３を昇降路の内壁２に取り付けた支持部材９、１０、１１、１２に対してリンク機構８とバネ付き油圧ダンパー７で柔軟に支持しており、ガイドレール５が一体枠３と一体として揺れ、同じ方向に移動するので、ガイドレール５がかご１をねじることがない。
また、ガイドレール５が一体枠３と一体として揺れるので、ガイドレール５間の距離が拡がることがなく、かご１のガイド装置からガイドレールの咥シロから外れることがない。
【００１４】
実施の形態２．
図６は、この発明の実施の形態２に係るエレベータ耐震レール支持装置が配置された昇降路の平面図である。図７は、この発明の実施の形態２に係るエレベータ耐震レール支持装置が配置された昇降路の側面図である。図８は、図６に図示するエレベータ耐震レール支持装置の斜視図である。
この発明の実施の形態２に係るエレベータ耐震レール支持装置は、この発明の実施の形態１に係るエレベータ耐震レール支持装置に釣合いおもり用ガイドレールを支持する構成を追加したことが異なり、それ以外は同様であるので、同様な部分に同じ符号を付記し説明を省略する。
【００１５】
この発明の実施の形態２に係るエレベータ耐震レール支持装置は、エレベータの昇降路内を昇降する釣合いおもり２１を案内するガイドレール６を地震時の揺れに対して釣合いおもり２１に捻れを生じさせずに支持する。そして、釣合いおもり２１を四方から囲む略ロの字形状の一体枠４にガイドレール６が取付けられる。
そして、この発明の実施の形態２に係るエレベータ耐震レール支持装置は、昇降路の内壁２に取付けられる支持部材９、１３と、支持部材９、１３と釣合いおもり２１との間に配置される一体枠４と、支持部材９、１３と一体枠４とを繋ぐバネ付き油圧ダンパー７と、を備える。
【００１６】
この発明の実施の形態２に係るエレベータ耐震レール支持装置は、実施の形態１と同様な効果を奏するとともに、釣合いおもり２１を四方から囲む略ロの字形状の一体枠４に釣合いおもり２１を案内するガイドレール６を取付け、一体枠４を昇降路の内壁２に取り付けた支持部材９、１３に対してバネ付き油圧ダンパー７で柔軟に支持しており、ガイドレール６が一体枠４と一体として揺れ、同じ方向に移動するので、ガイドレール５が釣合いおもり２１を捻ることがない。
また、ガイドレール６が一体枠４と一体として揺れるので、ガイドレール６間の距離が拡がることがなく、釣合いおもり２１のガイド装置からガイドレールの咥シロから外れることがない。
また、揺れをバネ付き油圧ダンパー７の抵抗力で低減することができ、かご１または釣合いおもり２１の破壊を防ぎ、かご１のガイド装置または釣合いおもり２１のガイド装置からガイドレールが外れることを防ぐ。
【符号の説明】
【００１７】
１  エレベータかご、２  （昇降路の）内壁、３  一体枠、３ａ、３ｂ、３ｃ  （一体枠の）枠、３ｄ  補強板、４  一体枠、５  ガイドレール、５ａ  レールクリップ、６  ガイドレール、７  バネ油圧ダンパー、７ａ  ピン、８  リンク機構、８ａ、８ｂ  リンク、８ｃ  リンクピン、８ｄ、８ｅ  ピン、９、１０、１１、１２、１３  支持部材、２１  釣合いおもり。
【図１】
2011195252.tif 000003
【図２】
2011195252.tif 000004
【図３】
2011195252.tif 000005
【図４】
2011195252.tif 000006
【図５】
2011195252.tif 000007
【図６】
2011195252.tif 000008
【図７】
2011195252.tif 000009
【図８】
2011195252.tif 000010